(57)【要約】【課題】  各輪列と蓄電地を組み合わせて長時間発電すること。【解決手段】  ゼンマイの回転力を発電用輪列に返し増速し接続部より発電機を動かすと共に、発電用輪列よりゼンマイ切替え制御機構の輪列に返し、対のゼンマイを交互に動かす制御を行う。また、発電用輪列よりゼンマイ巻戻し制御機構の輪列に返し、対のゼンマイを交互に巻戻すことを行うことを特徴とするゼンマイ発電機。【選択図】図１
2010065672.tif 000002
【特許請求の範囲】
【請求項１】
ゼンマイ開放時の回転力を発電用輪列で順次増速し、発電機のローターを回転させ発電する。発生した電力を蓄電池に蓄える。ゼンマイを巻戻すに必要な電力を蓄電池の配列により電力を得ることが出来ると共に、ゼンマイ巻戻し制御機構を設け、また、ゼンマイ切替え制御機構を設けることにより、対のゼンマイを交互に稼働することを特徴とする長時間発電機。
【請求項２】
請求項１に於いて、ゼンマイ切替え制御機構は、発電用輪列軸に設けた歯車２６，２７からの回転を利用し歯車４６，４７へ回転力を経由し歯卓４８．４９上の羽根車４６，４７を回転させる。この羽根車４６，４７を制御するために歯車５０．５１の軸上に設けたストッパー４２，４３のよって羽根車４６，４７を制御することを特徴とする長時間発電機。
【請求項３】
請求項１に於いて、ゼンマイ巻戻し制御機構は、制御用輪列軸に設けた歯車３４，３５からの回転を利用し部材５０，５１で電動機からの輪列カバー５６，５７に取付けてあるストッパーを制御し発電用輪列軸上５８，５９と接続しゼンマイを巻戻すことを特徴とする長時間発電機。
【発明の詳細な説明】
【技術分野】
【０００１】  本発明は、発電機に関するものであり、発電機に対のゼンマイを設けることと開放に近づいたゼンマイ巻戻し制御機構とゼンマイ切替え制御機構を設けることにより、発電機が長時間動くようにしたものである。
【背景技術】
【０００２】  従来の技術として、ゼンマイを使用して発電利用されている。この例として特許文献１に開示されているものがある。
【特許文献１】  特開２００４−２７８７６８公報  この公報は、複数枚のゼンマイを順次開放して長時間発電を可能にしている。
そこで、長時間発電機では、各部材と蓄電池を組み合わせ対のゼンマイを交互に働くことで長時間発電できる。
【発明の開示】
【発明が解決しようとする課題】
【０００３】  従来のように、手動でゼンマイを巻き戻す動作が必要となり非常に不便である。
【課題を解決するための手段】
【０００４】  この課題を解決するための請求項１の発明は、ゼンマイを対にすることで交互にゼンマイを動かし、ゼンマイ巻戻し制御機構とゼンマイ切替え制御機能を設けることで、発電機を長く動かすことができる。【０００５】  また、請求項２の発明は、開放に近づいたゼンマイ巻戻し制御機構を設けたことを特徴とする。ゼンマイ巻戻し制御機構は、発電機より得られる電力を蓄電池に蓄積して蓄電池の配列により開放状態のゼンマイを巻戻すのに必要な電力を供給することで繰り返して発電機を動かすことができる。【０００６】  また、請求項３の発明は、対のゼンマイ切替え制御機構を設けたことを特徴とする。ゼンマイ切替え制御機構は、片方のゼンマイが働いている際に、もう片方のゼンマイを巻戻すため発電用輪列からゼンマイ切替え輪列を設け羽根車４６，４７を制御する機能を設けた。
【発明の効果】
【０００７】  本発明により、ゼンマイで発電機を動かす場合、ゼンマイが開放状態に近づくと発電機が止まってしまうという不都合が起きなくなる。
【発明を実施するための最良の形態】
【０００８】  図１は、発電機に対のゼンマイを設けたことを特徴とする、長時間発電機の説明図である。同図が示すように対のゼンマイが交互に動くことで発電機を長く動かすことできる。【０００９】  図３と図４は、ゼンマイ切替え制御機構を設けたことを特徴とする。発電用輪列軸よりゼンマイ切替え用輪列を設け、羽根車４６，４７を制御する機構を設けて交互にゼンマイを制御する。【００１０】  図５と図６は、ゼンマイ巻戻し制御機構を設けたことを特徴とする、長時間発電機の説明図である。同図が示すように対のゼンマイに輪列を経由し、電動機で開放状態に近づいたゼンマイを巻戻し、その間、別のゼンマイが発電機を動かすことができる。
【実施例】
【００１１】  図１及び至図７を参照して、本発明の、実施例を説明する。図１は、円柱の筐体である。図１を元として各部材に符号を付ける。１ａ及び至１ｉは支持板で、２と２ａは支持板を固定する金具である。支持板１ａと１ｂは間隔を有し、上部とし、１ｂと１ｃを２段目、１ｃと１ｄを３段目、１ｄと１ｅを４段目、１ｅと１ｆを５段目、１ｆと１ｇを６段目、１ｈと１ｉを下部とする。【００１２】  筐体の形態は特に問わない。要は発電機、各輪列、ゼンマイ及び電装機器等を取付けられる構造であればよい。【００１３】  図１を元にして、図２及び至図７を参照して、発電用輪列、接続部及び発電機等を説明する。【００１４】  まず、図１の下部ゼンマイ１０，１１の中心軸より、４段目５段目の歯車２２，２３とかな２２，２３及び２段目３段目の歯車２４，２５とかな２６，２７で増速する。【００１５】  次に、かな２６，２７の同軸上の上部接続部８０，８１より発電機７のローターが連動する。【００１６】  図３と図４は、ゼンマイ切替え制御機構の輪列を表し説明する。【００１７】  まず、制御用輪列の歯車３４，３５上の部材４０，４１と、ゼンマイ切替え制御機構の歯車４６，４７より連動させた歯車４７の同軸上羽根車４９を回転させる。また、歯車４６の同軸上羽根車４８を回転させる。【００１８】  上記、羽根車４８，４９を制御するため制御用輪列軸上の部材４０，４１でストッパー４２，４３を動かし、対のゼンマイ１０，１１を交互に制御する。【００１９】  図５と６は、ゼンマイ巻戻し制御機構の輪例を表し説明する。【００２０】  まず、発電用輪列の歯車２０，２１上の歯車５８，５９と制御用輪列の歯車３４，３５上の部材５０，５１で電動機３の同軸上歯車５４，５５と歯車５２，５３のカバー５６，５７を制御する。【００２１】  上記、カバー５６，５７は、部材５０，５１との制御で歯車５２，５３と歯車５８，５９のかみ合いで発電用輪列を返しゼンマイ巻戻しを行う。
【産業上の利用可能性】
【００２２】  本発明に係る長時間発電機は、工業的に量産することが可能であるため、産業上の利用可能性を有する。
【図面の簡単な説明】
【図１】正面からの説明図。
【図２】上部、発電主要部と接続部の説明図。
【図３】２段目、ゼンマイ切替え制御機構輪列図。
【図４】３段目、ゼンマイ切替え制御機構輪列図。
【図５】４段目、ゼンマイ巻戻し制御機構輪列図・制御用輪列図。
【図６】５段目、ゼンマイ巻戻し制御機構輪列図・制御用輪列図。
【図７】６段目・下部、ゼンマイ巻戻し状態図。
【図８】電動機取付け位置図。
【符号の説明】
１．．．筐体、１ａ．．．支持板、２．．．固定金具、２ａ．．．固定金具、３．．．電動機、１０．．．ゼンマイ、２０．．．発電用輪列、３０．．．制御用輪列、４０．．．ゼンマイ切替え輪列、５０．．．ゼンマイ巻戻し輪列、６０．．．発電機、７０．．．蓄電池・電気回路、８０．．．接続部
【図１】
2010065672.tif 000003
【図２】
2010065672.tif 000004
【図３】
2010065672.tif 000005
【図４】
2010065672.tif 000006
【図５】
2010065672.tif 000007
【図６】
2010065672.tif 000008
【図７】
2010065672.tif 000009
【図８】
2010065672.tif 000010